(57)【要約】【目的】これまでの電源差し込みプラグはコードと、器機などで接触などで電源差し込みプラグが加熱や火災を発生していた。これ等の加熱や火災を発生をおさいる為に電源差し込みプラグの内部にシユーズを取付け固定し、コードや器機の接触によりシユーズの線の切断により電流が遮断できるようにした。【構成】電源差込みプラグ本体の内部にさしこみプラグとコードの中間にシユーズ保持金具を取付けシユーズを設置した。【選択図】　図１
0003098849.tif 000002
【実用新案登録請求の範囲】
【請求項１】
１　考案の詳細な説明
電源差込みプラグ本体の内部に差込み金具と電源コードとの中間にシユーズを取り付けたものです。
［考案の詳細説明］
考案の目的、考案の構成および効果を記載します。
電源差し込みプラグ本体の中に差し込みプラグと、電源コードとの間にシユーズを取り付けたものです。
【考案の詳細な説明】
考案の目的、考案の構成および効果を記載します。
電源差し込みプラグ本体の中に差込みプラグと、の間にシユーズを取り付け、たものです。
［産業上の利用の分野］
今までの電源さし込み本体にシユーズが取り付けていなかった。電源差し込みプラグ本体にシユーズを取り付けることによってシヨツトしても加熱又は火災が発生しがたいようにしたものです。
［従来の技術］
これまでの電源差し込みブラグにシユーズなどなくコード又器機接触などで、電源差し込みプラグ又はコードなど加熱、火災など発生があった。
［考案が解決しようとする課題］
電源差し込みプラグを差し込み状態にしてコードや、器機の接触により加熱又は火災が発生を無くするようにした。
［課題を解決するための手段］
これまでの電源差し込みプラグは本体にシユーズがなかった為にコード器機の接触によって加熱や火災を発生をくい止めることは、できなかったこれらを発生させない為に電源差し込みプラグ本体に差し込みプラグとコードとの間にシユーズを取り付けた。
［作用］
電源差し込みプラグの本体との間に差し込みプラグとコードとの中間にシユーズを取り付けたことにより器機やコードの接触で加熱や火災を無くすことが出来た。
［考案の効果］
電源さし込みプラグ本体にシユーズを取り付けた結果コードや器機ないの加熱や火災が少ない。
【図面の簡単な説明】
１　電源さし込みプラグ本体内部シユーズ取付け図である。
２　電源コード差し込み口。
３　コード取付けネジ。
４　差し込みプラグ。
５　シユーズ本体。
６　シユーズ取付け金具。
【図２】１　電源差し込みプラグ本体の裏側フタの内部。
〔実用新案登録の範囲〕
〔請求項１〕従来の電源差し込みプラグ［図１］方側の６のシユーズ取り付け金具と３のコード取付け金具と切り離し、シユーズの固定金具を作り、これにシユーズ固定する。
【図１】
0003098849.tif 000003
【図２】
0003098849.tif 000004
【手続補正書】
【提出日】平成15年7月30日(2003.7.30)
【手続補正１】
【補正対象書類名】明細書
【補正対象項目名】前文
【補正方法】変更
【補正の内容】
【実用新案登録請求の範囲】
【請求項１】略四方形の箱型内部に電源差し込みプラグ本体のプラス側マイナス側の一方の中間に電源コードとプラグ先金具との間に、脱着可能にヒユーズ線を取り付けた電源差し込みプラグ。
【考案の詳細な説明】
【０００１】
［考案の属する技術分野］
従来は電源差し込みプラグが多線などでコンセントなどに差し込み負荷がかかり、加熱、火災など発生していた、このため電源コードと差し込みプラグ先金具の中間にヒユーズを装着し、又はヒユーズ線が切れた場合に不用ヒユーズを取りはづしが出来る装置を考案。
【０００２】
［従来の技術］
従来、この種の電源差し込みプラグ図１に示す、四方形の内部２，３，のどちらかの差し込みプラグ金具の中間にヒユーズを装着がなかった、このため電差し込みプラグが多線でコンセントに差し込みをした時点で加熱、発火などのおそれがあった図１０示す３，差し込みプラグ金具と４，電源コードの間に１５，ヒユーズを装着がなかった。
【０００３】
［考案が解決しようとする課題］
従来の技術で述べたもののうち図１、の電源差し込みプラグは多線でコンセントに差し込み加熱、発火、火災起すことがあった。
【０００４】
又た、後者に置いて図１０，の３，４，の中間に１１，１２金具を設置１５，のヒユーズを簡単に装着でき、又た、ヒユーズの不用のとき脱外できる。
【０００５】
本考案は、従来の技術の有するこのような問題点に鑑みてなされたものであり、そのその目的とするところは、四方形の電源差し込みプラグの金具の中間を切断、電源コードの間にヒユーズを装着出来る、又た、簡単な作業によりとりはづしできる、加熱、発火、火災を発生させない安全性がある。
【０００６】
［課題を解決するための手段］
上記目的を達成するために、本考案における安全装置は、電源差し込みプラグ本体内部の差し込みプラグの両側にある片方にヒユーズを係止してなるものである。
【０００７】
そして、電源コードと差し込みプラグ金具先の間にヒユーズが接続し一本化した。
【０００８】
又た、電源差し込みプラグ内部に図１０の、４，３，の金具を確実に係止するために、１５，のヒユーズの装着できる。
【０００９】
又た、ヒユーズの係止の目的で、保持具の一方側に差し込みプラグ金具先片を対側と先を平行して係止する。
【００１０】
さらに、電源差し込みプラグ本体の内部面に少くとも一部分に電源コードとヒユーズ、差し込みプラグ、係止し形成した。
【００１１】
安全な、電源差し込みプラグ本体にヒユーズ装着、した差し込みプラグをコンセント差し込みをして加熱、発火、火災などおこさない目的で、建物など被害をあたいない考案した。
【００１２】
そして、電源差し込みプラグ本体にヒユーズ装着、した、差し込みプラグは安全面が拡がり被害を少なくする。
【００１３】
［考案の実施の形態］
考案の実施の形態について図面を参照して説明する。
図１，おいて、従来つかわれてきた、電源差し込みプラグで略四方形の内部に差し込みプラグが両側にある、そのうしろ外部より電源コードがプラグ金具に接続でこれまでの電源差し込みプラグであった。
【００１４】
図２，〜図３、において図１，の２，３，のひとつ、ここでは３，で説明、３，の差し込みプラグの中間、７，切断、４，３，分離、横面の図形を示す、図４，〜図６，は、上面で、図１、〜図６，の６、電源コードの止めネジ、８，９，はヒユーズ棒の止めネジ１０は、ヒユーズ棒
【００１５】
又た、図７〜図８，ヒユーズ管の装着、金具４，３，にＬ字型の１３，１４，板金が椄着した上にヒユーズ装着する為の１３，１４、にヒユーズ外径、割り型Ｕ字型金具を椄着ヒユーズ管装着金具が完成である。
【００１６】
また、図１０，１，の電源差し込みプラグ本体の内部に、３，４，を組入れ金具を係止し、広がりなどをなくす、略３，１４，と、４，１３，が、コ字状に形成され、図１５，ヒユーズ管を、装着できる。
【００１７】
図１０，の電源差し込みプラグ本体にヒユーズ装着、１，の略四方形の内枠に電源コード側の、４，１３，設置し、また、３，１４，の差し込みプラグの、４，１３，と、同様、設置し、１１，１２，区間の金具に図９、１５，のヒユーズ管を装着される、また、８，　９，は、図９，１５，のヒユーズ管が、不足した場合に、図５，の１０，ヒユーズ棒を装着できるようにした，５，６，は１６，の電源コード係止すると、図１７，の蓋を被せると、電源差し込みプラグ本体にヒユーズ装着、である。
【００１８】
［考案の効果］
本考案は、上述のとうり構成されているので、次に記載する効果をする。
【００１９】
請求項１の（注）電源差し込みプラグ本体にヒユーズ装着においては、片側の差し込みプラグ金具と、電源コードの中間の位置に、ヒユーズの係止できる金具を設置し、簡単な作業で、ヒユーズを係止できる。
【図面の簡単な説明】
【図１】従来の電源差し込みプラグ本体で、内枠にヒユーズが装着してない図面である。
【図２】差し込みプラグ金具３，と、４，の中間７，切断箇所を示す
【図３】差し込みプラグ金具３，と、４，を切り離した図である。
【図４】差し込みプラグ金具、４，に６，電源コード，止めネジ、８，と、３，の９，はヒユーズ
止めネジの図である。
【図５】ヒユーズ棒の図である。
【図６】４，の電源コード側金具と、３，差し込み金具側の中間にヒユーズ棒を、係止した図であ
る。
【図７】４，の、電源コード側金具に１３，の板金を接着、１１，ヒユーズ管外径Ｕ字型金具を１
３，板金に接着、また同じく３，の差し込みプラグ金具に１４、の板金を接着、１２，ヒ
ユーズ管外径Ｕ字型金具を、Ｉ４，に接着した図で、從面図である。
【図８】４，は電源コード接続金具と、差し込みプラグ金具３，横面図である。
【図９】既存のヒユーズ管図である。
【図１０】電源差し込みプラグ本体１，の、内枠に３，４，の、金具を設置、１５，のヒユーズ管装
着した図である。
【符号の説明】
１，電源差し込みプラグ本体
２，差し込みプラグ
３，差し込みプラグ
４，電源コード側金具
５，電源コード止めネジ
６，電源コード止めネジ
７は、３，４，の切り離す箇所
８，ヒユーズ棒止めネジ
９，ヒユーズ棒止めネジ
１０，ヒユーズ棒
１１，ヒユーズ管係止金具
１２，ヒユーズ管係止金具
１３，ヒユーズ金具係止台板金
１４，ヒユーズ金具係止止め台板金
１５，ヒユーズ管
１６，電源コード


【手続補正２】
【補正対象書類名】図面
【補正対象項目名】全図
【補正方法】変更
【補正の内容】
【図１】
0003098849.tif 000005
【図２】
0003098849.tif 000006
【図３】
0003098849.tif 000007
【図４】
0003098849.tif 000008
【図５】
0003098849.tif 000009
【図６】
0003098849.tif 000010
【図７】
0003098849.tif 000011
【図８】
0003098849.tif 000012
【図９】
0003098849.tif 000013
【図１０】
0003098849.tif 000014